(57)【要約】【課題】プローブカードインターフェースのためのプローブヘッドを組み立てる方法が開示される。【解決手段】プローブヘッドは、複数の整列板を含み、整列板のそれぞれは１組の穴を含む。整列板のそれぞれが他の積層板の少なくとも１つに隣接し、整列板のそれぞれの１組の穴は残りの整列板のそれぞれの対応する１組の穴と整列するように、複数の整列板が積層される。次いで、１組のプローブワイヤが複数の整列板のそれぞれの１組の穴を通してそれぞれ挿入される。１組のプローブワイヤが挿入された後、複数の整列板のいずれも他の整列板と隣接しないように複数の整列板が間隔形成される。１つ以上の複数片スペーサが、整列板に間隔形成するのに使用されてもよい。【選択図】図２
2015040859.tif 000002
【特許請求の範囲】
【請求項１】
複数の整列板を、前記複数の整列板のそれぞれが少なくとも１つの他の整列板に隣接し、前記複数の整列板のそれぞれにおける１組の穴が残りの前記整列板のそれぞれにおける対応する組の穴と整列されるように積層する段階と、
１組のプローブワイヤを、前記複数の整列板のそれぞれにおいてそれぞれの組の穴を通して挿入する段階と、
前記１組のプローブワイヤが挿入された後に、前記複数の整列板のいずれも他の整列板と隣接しないように前記複数の整列板に間隔を形成する段階と、を含む、プローブカードインターフェースのためのプローブヘッドを組み立てる方法。
【請求項２】
前記複数の整列板が、少なくとも上部整列板及び下部整列板を含む、請求項１に記載の方法。
【請求項３】
前記複数の整列板がさらに、前記上部整列板と前記下部整列板との間に提供されて、前記プローブワイヤの折り曲げまたは屈曲を制御する浮遊整列板を含む、請求項２に記載の方法。
【請求項４】
前記浮遊整列板が、前記プローブワイヤを互いに接触せずに折り曲げまたは屈曲可能にする、請求項３に記載の方法。
【請求項５】
前記複数の整列板に間隔を形成する段階が、前記複数の整列板の間に１つ以上のスペーサを挿入する段階を含む、請求項１に記載の方法。
【請求項６】
前記１つ以上のスペーサが、試験下にあるデバイスと接触させるときに１組の前記プローブワイヤを折り曲げまたは屈曲可能にする、請求項５に記載の方法。
【請求項７】
前記１つ以上のスペーサのそれぞれが、少なくとも２つの部品から組み立てられる複数片スペーサを含む、請求項５に記載の方法。
【請求項８】
プログラム命令がプローブ組み立て製造装置内に提供されるプロセッサによって実行される際に、前記製造装置に、１組のプローブワイヤを複数の整列板のそれぞれの１組の穴にそれぞれ通して挿入させるプログラム命令を含む、コンピュータ可読蓄積媒体であって、
前記１組のプローブワイヤーが挿入されるのに先立って、前記複数の整列板のそれぞれが少なくとも１つの他の整列板に隣接し、前記複数の整列板のそれぞれにおける１組の穴が前記整列板の残りのそれぞれにおける対応する組の穴と整列されるように、前記複数の整列板が積層され、
前記１組のプローブワイヤが挿入された後に、前記複数の整列板のいずれも他の整列板と隣接しないように、前記複数の整列板が間隔を形成される、
コンピュータ可読蓄積媒体。
【請求項９】
前記複数の整列板が、１つ以上の複数片スペーサを用いて間隔形成される、請求項８に記載のコンピュータ可読蓄積媒体。
【請求項１０】
前記１つ以上の複数片スペーサのそれぞれが少なくとも２つの部品から組み立てられる、請求項９に記載のコンピュータ可読蓄積媒体。
【請求項１１】
前記複数の整列板が、少なくとも上部整列板及び下部整列板を含む、請求項８に記載のコンピュータ可読蓄積媒体。
【請求項１２】
前記複数の整列板がさらに、前記上部整列板と前記下部整列板との間に提供され、前記プローブワイヤの折り曲げまたは屈曲を制御するための浮遊整列板を含む、請求項１１に記載のコンピュータ可読蓄積媒体。
【請求項１３】
前記浮遊整列板が、前記プローブワイヤが互いに接触せず折り曲がりまたは屈曲することを可能にする、請求項１２に記載のコンピュータ可読蓄積媒体。
【請求項１４】
それぞれが１組の穴を含む複数の空間形成可能な整列板と、
前記複数の空間形成可能な整列板のそれぞれの前記１組の穴を通してそれぞれ挿入された１組のプローブワイヤと、
前記複数の空間形成可能な整列板の間に提供されて、試験下にあるデバイスに接触する際に前記１組のプローブワイヤが折れ曲がりまたは屈曲することを可能にする１つ以上の複数片スペーサと、を含む、プローブヘッド。
【請求項１５】
前記１つ以上の複数片スペーサのそれぞれが少なくとも２つの部品から組み立てられる、請求項１４に記載のプローブヘッド。
【請求項１６】
前記複数の空間形成可能な整列板が、少なくとも上部整列板及び下部整列板を含む、請求項１４に記載のプローブヘッド。
【請求項１７】
前記複数の空間形成可能な整列板がさらに、前記上部整列板と前記下部整列板との間に提供され、前記プローブワイヤの折り曲げまたは屈曲を制御するための浮遊整列板を含む、請求項１６に記載のプローブヘッド。
【請求項１８】
前記浮遊整列板が、前記プローブワイヤが互いに接触することなく折れ曲がりまたは屈曲することを可能にする、請求項１７に記載のプローブヘッド。
【請求項１９】
複数の整列板を積層する手段であって、前記複数の整列板のそれぞれが少なくとも１つの他の整列板と隣接し、前記複数の整列板のそれぞれの１組の穴が前記整列板の残りのそれぞれにおける対応する組の穴と整列されるように、複数の整列板を積層する手段と、
前記複数の整列板のそれぞれの前記１組の穴を通してそれぞれ１組のプローブワイヤを挿入する手段と、
前記１組のプローブワイヤが挿入された後に、前記複数の整列板のいずれも他の整列板と隣接しないように前記複数の整列板に間隔を形成する手段と、を含む、プローブ組み立て製造装置。
【発明の詳細な説明】
【技術分野】
【０００１】
本発明は、一般に集積回路デバイスを試験するために使用されるプローブカードに関し、具体的にはプローブカードのためのプローブヘッド組み立てに関する。
【背景技術】
【０００２】
プローブカードは典型的には集積回路（ＩＣ：ｉｎｔｅｇｒａｔｅｄ  ｃｉｒｃｕｉｔ）デバイスの試験において使用される。それらの設計のために、プローブカードは個片化されパッケージされる前に任意の製造欠陥を検出するために半導体ウェハ全体を試験するのに特に有利である。例えば、プローブカードは典型的には試験装置に接続するために多数の電気接点素子及び／またはその上に配置された配線を有する印刷回路基板（ＰＣＢ：ｐｒｉｎｔｅｄ  ｃｉｒｃｕｉｔ  ｂｏａｒｄ）から形成される。ＰＣＢは、試験下にあるデバイス（ＤＵＴ：ｄｅｖｉｃｅ  ｕｎｄｅｒ  ｔｅｓｔ）と接触するように位置される多数のピンを有するプローブヘッドに接続されて、ＤＵＴへの及びＤＵＴからの電気的信号の伝送を可能とする。従って、プローブカードは、試験装置とＤＵＴとの間のインターフェースとして働く。
【０００３】
図１Ａは、典型的なプローブヘッド１００の断面図を示している。プローブヘッド１００は、１組のプローブワイヤ１５０をＤＵＴと整列し及び／またはインターフェースするために使用される多数の整列板１１０−１３０を含む。より具体的には、整列板１１０−１３０のそれぞれは、１組の穴１１２−１３２をそれぞれ含み、それを通して対応するプローブワイヤ１５０が挿入される。このようにして、整列板１１０−１３０がプローブワイヤ１５０をＤＵＴの対応する電気的接点（例えば、パッド及び／またはバンプ）に接触するように案内するために使用されうる。
【０００４】
プローブヘッド１００はまた、整列板１１０−１３０の間に提供されて、ＤＵＴと接触したときにプローブワイヤ１５０が折れ曲がり、または屈曲することを可能にする１組のスペーサ１４０（１）−１４０（２）を含む。図１Ｂに示されるように、スペーサ１４０のそれぞれは、中空中央部１４３を有する絶縁性材料（例えばセラミック）の層１４１から形成され、中空中央部１４３を通してプローブワイヤ１５０が通過し、プローブワイヤ１５０が自由に屈曲できるようにする。例えば、ＤＵＴの電気的接点は典型的には非常に小さく損傷しやすい。従って、プローブワイヤ１５０が屈曲できるようにすることによって、スペーサ１４０（１）−１４０（２）は確実にプローブワイヤ１５０がそれらに損傷を与えることなく電気的接点の１つ以上に（すなわち、十分な力で）接触させうる。
【０００５】
さらに、プローブヘッドの間隔（すなわち、プローブワイヤ１５０の間の間隔）は、典型的にはＤＵＴの対応する接触パッドに適切に整列できるように非常に小さい。そのため、中間（または「浮遊」）整列板１３０が、プローブワイヤ１５０の間の分離を維持する助けとなる。換言すれば、浮遊整列板１３０は、プローブワイヤ１５０を、それらが折れ曲がりまたは屈曲したときに互いに接触するようになるのを防ぐ。
【０００６】
整列板１１０−１３０及びスペーサ１４０（１）−１４０（２）は典型的には、プローブワイヤ１５０が挿入される前に、初めに組み立てられる（例えば図１Ａに示されるように）。しかしながら、整列板１１０−１３０の間の間隔（スペーサ１４０（１）及び１４０（２）によって形成される）のために、プローブワイヤ１５０は対応する整列板１１０−１３０の穴１１２−１３２を慎重に通されなければならない。従って、個別のプローブワイヤ１５０は典型的には手によって（すなわち、手動で）挿入される。
【発明の概要】
【課題を解決するための手段】
【０００７】
この概要は、詳細な説明において以下にさらに説明される概念の選択を簡略化された形態で説明するために提供される。この概要は、特許請求の範囲の対象の重要な特徴または不可欠な特徴を特定することを意図するものではなく、特許請求の範囲の対象の範囲を限定することを意図するものでもない。
【０００８】
プローブヘッドを組み立てるための方法及び装置が開示される。プローブヘッドは、多数の整列板を含み、整列板のそれぞれは１組の穴を含む。本実施形態において、整列板は積層され、整列板のそれぞれは少なくとも１つの他の整列板に直接隣接し、整列板のそれぞれの１組の穴は残りの整列板のそれぞれにおける対応する組の穴と整列される。次いで、１組のプローブワイヤが複数の整列板のそれぞれにおける１組の穴を通してそれぞれ挿入される。プローブワイヤが挿入された後に、整列板のいずれも他の整列板と直接隣接しないように整列板は間隔をあけられる。
【０００９】
いくつかの実施形態において、１つ以上の複数片スペーサが、整列板を離隔させるために使用されうる。複数片スペーサのそれぞれは、少なくとも２つの部分から組み立てられてもよく、試験下にあるデバイスに接触したときに１組のプローブワイヤが折れ曲がりまたは屈曲することを可能にする。
【００１０】
いくつかの実施形態に関して、整列板は少なくとも上部整列板及び下部整列板を含みうる。さらに、浮遊整列板が、プローブワイヤの折れ曲がりまたは屈曲を制御するために、上部及び下部整列板の間に提供されうる。さらに具体的には、浮遊整列板はプローブワイヤが互いに接触することなく折れ曲がりまたは屈曲することを可能とする。
【００１１】
従って、例示的な実施形態に関して本明細書で説明されるプローブヘッド組み立て技術は、プローブヘッドを通す（すなわちプローブヘッドの整列板を通してプローブワイヤを挿入する）自動化された（例えば、コンピュータで制御された）プロセスを提供しうる。さらに、本実施形態の少なくともいくつかは、プローブヘッド組み立てプロセスの全体がより効率的に実施されることを可能としうる。
【００１２】
本実施形態は例示のために図示されるものであり、添付する図面によって限定されることを意図するものではない。
【図面の簡単な説明】
【００１３】
【図１Ａ】典型的なプローブヘッド及びプローブヘッドのスペーサ構成部の断面図を示す。
【図１Ｂ】典型的なプローブヘッド及びプローブヘッドのスペーサ構成部の平面図を示す。
【図２】本実施形態に従ってプローブヘッドを組み立てるための例示的な操作を図示する例示的なフローチャートである。
【図３Ａ】本実施形態に従うプローブヘッド組み立てプロセスを示す断面図である。
【図３Ｂ】本実施形態に従うプローブヘッド組み立てプロセスを示す断面図である。
【図３Ｃ】本実施形態に従うプローブヘッド組み立てプロセスを示す断面図である。
【図４Ａ】図３Ｃに示された複数片スペーサの平面図を示す。
【図４Ｂ】図３Ｃに示された複数片スペーサの平面図を示す。
【図５】いくつかの実施形態に従うプローブ組み立て製造装置のための制御部のブロック図である。
【発明を実施するための形態】
【００１４】
以下の説明において、多くの具体的な詳細が、本開示の完全な理解を提供するために記述される。また、以下の説明において説明の目的のために、具体的な用語が本実施形態の完全な理解を提供するために記述される。しかしながら、これらの具体的な詳細は本実施形態を実施するために必ずしも必要でないことは、当業者には明らかになるであろう。他の例において、周知の回路及びデバイスが本開示を遮ることを防ぐためにブロック図の形態で示される。本明細書で使用されるように、「結合された」という用語は、直接接続され、または中間に介在する１つ以上の構成要素または回路を通して接続されることを意味する。本明細書で説明される様々なバスを介して提供される信号のいずれも、他の信号と時間多重化され、１つ以上の共通バスを介して提供されてもよい。さらに、回路素子またはソフトウェアブロック間の相互接続は、バスとしてまたは単一の信号線として示されてもよい。バスのそれぞれは、代替的に単一の信号線であってもよく、単一の信号線のそれぞれは代替的にバスであってもよく、単一の線またはバスは構成要素間の通信のための無数の物理的または論理的機構のどの１つ以上と置き換えられてもよい。
【００１５】
図２は、本実施形態に従ってプローブヘッドを組み立てるための例示的な操作２００を示す例示的なフローチャートである。例示的な目的のため、操作２００は本明細書では図３Ａから３Ｃを参照して説明され、これらの図はプローブヘッド３００の断面図を示している。プローブヘッド３００は、１組のプローブワイヤ３５０を試験下のデバイス（ＤＵＴ）に整列させ及び／またはインターフェースするために用いられうる上部整列板３１０、下部整列板３２０及び浮遊整列板３３０を含む。いくつかの実施形態に関して、整列板３１０−３３０は、絶縁性（例えば、セラミック）材料から形成される。整列板３１０−３３０のそれぞれは、１組の穴３１２−３３２をそれぞれ含み、その穴を通して対応するプローブワイヤ３５０が挿入されうる。
【００１６】
図３Ａを参照すると、整列板３１０−３３０が最初に互いの上部に積層される（２１０）。いくつかの実施形態において、整列板３１０−３３０は整列板３１０−３３０のそれぞれが他の整列板に直接隣接するように積層されうる。例えば、浮遊整列板３３０は下部整列板３２０の上部に積層されてもよく、上部整列板３１０は浮遊整列板３３０の上部に積層されてもよい。さらに、整列板３１０−３３０は、整列板３１０−３３０のそれぞれの穴３１２−３３２が互いに一致するように整列されうる（２２０）。いくつかの実施形態において、整列板（例えば、整列板３１０）の穴のそれぞれは、他の整列板（例えば、整列板３２０−３３０）の対応する穴と整列されうる。
【００１７】
次いで、図３Ｂを参照すると、プローブワイヤ３５０が整列板３１０−３３０のそれぞれの穴を通して挿入されうる（２３０）。いくつかの実施形態に関して、プローブワイヤ３５０は、機械及び／またはコンピュータで制御された装置を使用して挿入されうる。例えば、整列板３１０−３３０が互いに対して隣接して積層されているので、それぞれの整列板の対応する穴３１２−３３２は上部整列板３１０の上面から下部整列板３２０の下面まで貫通して連続的なチャネルを効率的に形成する。より具体的には、上部整列板３１０の穴３１２は、プローブワイヤ３５０の挿入を浮遊整列板３３０の対応する穴３３２まで通して案内しうる（またその逆も）。同様に、浮遊整列板３３０の穴３３２はさらにプローブワイヤ３５０の挿入を下部整列板３２０の対応する穴３２２まで通して案内しうる（またその逆も）。組み立ての間、整列板３２０の下部にワイヤが穴を通して完全に落下するのを防ぐために平坦な表面が提供されてもよい。このようにして、３つの整列板３１０−３３０の全てが従来技術のワイヤを通す技術と比較してより短時間で、より効率的な方法（例えばワイヤの配置及び／または整列においてより正確性を必要としない）でワイヤが通されうる。
【００１８】
図３Ｃを参照すると、プローブワイヤ３５０が穴３１２−３３２を通して挿入された後に、次いで整列板３１０−３３０が離隔されまたは分離されうる（２４０）。いくつかの実施形態において、プローブワイヤ３５０は隣接する整列板３１０−３３０の間に複数片スペーサ（例えばスペーサ構成要素３４２及び３４４から組み立てられる）を挿入することによって間隔を開けられうる。例えば、スペーサ構成要素３４２（１）及び３４４（１）の第１の組は、上部整列板３１０と浮遊整列板３３０との間に提供されうる。さらに、スペーサ構成要素３４２（２）及び３４４（２）の第２の組が下部整列板３２０と浮遊整列板３３０との間に提供されうる。複数片スペーサは、整列板３１０−３３０の間に間隔を生成し、力がそれぞれの端部に印加されたときに（例えば、プローブワイヤ３５０がＤＵＴの電気的接点と接触したときに）プローブワイヤ３５０が折れ曲がりまたは屈曲するための空間を提供する。整列板間に結果的に生じる間隔は、スペーサ３４２（１）／３４４（１）及び３４２（２）／３４４（２）の厚さによって確立されうる。いくつかの実施形態において、スペーサ３４２（１）／３４４（１）はスペーサ３４２（２）／３４４（２）とは厚さの点で異なるものでありうる。
【００１９】
図４Ａ及び４Ｂは、図３Ｃに示された複数片スペーサのより詳細な実施形態を示している。上述のように、複数片スペーサ４００は、２つのスペーサ構成要素３４２及び３４４を含む。いくつかの実施形態に関して、スペーサ構成要素３４２及び３４４のそれぞれは絶縁性（例えば、セラミック）材料から形成されうる。しかしながら、スペーサ構成要素の両方が同一の材料から形成されてもよいことに注意すべきである。図４Ａに示されるように、スペーサ構成要素３４２及び３４４のそれぞれは、他のスペーサ構成要素（例えばスペーサ構成要素３４２または３４４）と結合して組み立てられた複数片スペーサを形成しうる個別の構成要素である。いくつかの実施形態において、スペーサ構成要素３４２はスペーサ構成要素３４４と同一であってもよい。図４Ｂに示されるように、複数片スペーサ４００は、一度組み立てられると、図１に示されるスペーサ１００に類似しうる。例えば、スペーサ構成要素３４２及び３４４は、プローブワイヤ３５０が（例えば、折り曲げまたは変形に十分な横方向空間を有して）通過するように提供される中空中央部４１０を有する環状構造を形成しうる。他の実施形態では、複数片スペーサ４００は、任意の数のスペーサ構成要素から形成されてもよいことに注意すべきである。
【００２０】
図４Ａ及び４Ｂに示されるように、複数片スペーサ４００は、２つ以上のスペーサ構成要素（例えば、スペーサ構成要素３４２及び３４４）を単純に整列させる（スペーサ構成要素は接触してもよく接触なくてもよいことに注意すること）ようにすることによって組み立てることができる。この特徴により、複数片スペーサ４００が、組み立てプロセスの間のいずれの時点でも、プローブワイヤ３５０が整列板３１０−３３０を通して挿入された後でさえも、プローブヘッド３００内に挿入可能となる。従って、いくつかの実施形態に関して、プローブヘッド組み立てプロセス２００の一部またはすべては自動化（例えばコンピュータで制御された）デバイスまたはシステムによって実施されうる。これは、プローブヘッドにワイヤを通す（すなわちプローブヘッドの整列板を通してプローブワイヤを挿入する）ための、自動化（例えばコンピュータ制御された）プロセスを提供する。これは、今度は、従来技術と比較してより短時間でより堅牢なプローブヘッド組み立てプロセスを提供しうる。
【００２１】
プローブヘッド３００が３つの整列板３１０−３３０を含む一方で、上述のプローブ組み立て操作２００はより少ないまたはより多い整列板を有するプローブヘッドに容易に適用されうることに注意すべきである。そのため、いくつかの実施形態に関して、プローブヘッド３００は上部整列板３１０及び下部整列板３２０のみを含んでもよい（すなわち、浮遊整列板３３０を有さない）。他の実施形態に関して、プローブヘッド３００は複数の浮遊整列板３３０を含んでもよい。
【００２２】
図５は、いくつかの実施形態に従うプローブ組み立て製造装置のための制御部５００のブロック図である。製造装置制御部５００は、制御部インターフェース５１０、プロセッサ５２０及びメモリ５３０を含む。制御部インターフェース５１０は、制御部５００へ及び／または制御部５００からの命令を通信するために使用されうる。例えば、制御部インターフェース５１０は、プロセッサ５２０からプローブ組み立て製造装置の他の構成要素へ、プローブヘッド組み立て操作の１つ以上の段階を実行するための命令を出力しうる。プローブ組み立て製造装置は、当技術分野で周知の１つ以上のコンピュータ制御可能な機械的構成要素（例えばロボットアーム）からなる機械またはデバイスであってもよいことに注意すべきである。
【００２３】
メモリ５３０は、以下のソフトウェアモジュール、
・プローブヘッドの１組の整列板を積層し整列するための整列板（ＡＰ：ａｌｉｇｎｍｅｎｔ  ｐｌａｔｅ）積層モジュール５３２、
・整列板のそれぞれにおける対応する穴を通して１組のプローブワイヤを挿入するワイヤ挿入モジュール５３４、及び
・プローブワイヤが挿入された後に整列板の間隔をあけるＡＰ間隔形成モジュール５３６
を蓄積することができる非一時性コンピュータ可読蓄積媒体（例えば、１つ以上のＥＰＲＯＭ、ＥＥＰＲＯＭ、フラッシュメモリ、ハードドライブなどの不揮発性メモリ素子）を含んでもよい。ソフトウェアモジュールのそれぞれは、プロセッサ５２０によって実行されるときに、プローブ組み立て製造装置（またはその構成要素）に対応する機能を実行させうる命令を含みうる。そのため、メモリ５３０の非一時的コンピュータ可読蓄積媒体は図２を参照して説明された操作の全てまたは一部を実行するための命令を含みうる。
【００２４】
プロセッサ５２０は、制御部インターフェース５１０とメモリ５３０との間に結合され、製造装置制御部５００内に（例えばメモリ５３０内に）蓄積された１つ以上のソフトウェアプログラムの命令のスクリプトを実行することが可能などのような適切なプロセッサであってもよい。例えば、プロセッサ５２０は、ＡＰ積層モジュール５２２、ワイヤ挿入モジュール５２４及び／またはＡＰ間隔形成モジュール５２６を実行しうる。
【００２５】
ＡＰ積層モジュール５３２は、プロセッサ５２０によって実行されて、プローブ組み立て製造装置がプローブヘッドの１組の整列板を積層し整列しうる。例えば、整列板は、整列板のそれぞれが他の整列板と直接隣接するように積層されうる。さらに、整列板のそれぞれにおける１組の穴は、他の整列板のそれぞれにおける対応する組の穴に整列されうる。いくつかの実施形態に関して、１組の整列板は、上部整列板、下部整列板及び浮遊整列板を含みうる。
【００２６】
ワイヤ挿入モジュール５３４は、プロセッサ５２０によって実行されて、プローブ組み立て製造装置が１組のプローブワイヤを整列板のそれぞれにおける対応する穴を通して挿入しうる。例えば、整列板が互いに隣接して積層される間、整列板のそれぞれにおける対応する穴は上部整列板の上面から下部整列板の底面まで連続的なチャネルを効率的に形成しうる。従って、上部整列板の穴は、プローブワイヤの挿入を浮遊整列板の対応する穴を通して案内してもよく、次いで浮遊整列板の穴がプローブワイヤの挿入を下部整列板の穴を通して案内する。
【００２７】
ＡＰ間隔形成モジュール５２６は、プローブワイヤが挿入された後にプロセッサ５２０によって実行されて、整列板に間隔を形成しうる。いくつかの実施形態に関して、プロセッサ５２０は、ＡＰ間隔形成モジュール５２６を実行する際に、プローブ組み立て製造装置が複数片スペーサ（例えば図４Ａ及び４Ｂを参照して上述したように）を隣接する整列板間に挿入することによって、整列板に間隔形成しうる。従って、複数片スペーサは整列板間に、ＤＵＴに接触する際にプローブワイヤが折れ曲がりまたは屈曲することが可能な間隔を生成しうる。
【００２８】
前述の明細書において、本実施形態がその具体的な例示的実施形態を参照して説明された。しかしながら、様々な改良及び変更が、添付された特許請求の範囲に記載された開示のより幅広い範囲から逸脱することなく行われうることは明らかであろう。従って、明細書及び図面は、限定的な意味ではなくむしろ例示的な意味とされるべきものである。例えば、図２のフローチャートに示された方法の段階は他の適切な順序で実施されてもよく、複数の段階が単一の段階に結合されてもよく、及び／またはいくつかの段階が省略されてもよい。
【符号の説明】
【００２９】
１００  プローブヘッド
１１０、１２０、１３０  整列板
１１２、１２２、１３２  穴
１４０  スペーサ
１４１  絶縁性材料の層
１４３  中空中央部
１５０  プローブワイヤ
２００  プローブヘッドを組み立てるための操作
３００  プローブヘッド
３１０  上部整列板
３２０  下部整列板
３３０  浮遊整列板
３１２、３２２、３３２  穴
３４２、３４４  スペーサ構成要素
３５０  プローブワイヤ
４００  複数片スペーサ
４１０  中空中央部
５００  制御部
５１０  制御部インターフェース
５２０  プロセッサ
５３０  メモリ
５３２  ＡＰ積層モジュール
５３４  ワイヤ挿入モジュール
５３６  ＡＰ間隔形成モジュール
【図１Ａ】
2015040859.tif 000003
【図１Ｂ】
2015040859.tif 000004
【図２】
2015040859.tif 000005
【図３Ａ】
2015040859.tif 000006
【図３Ｂ】
2015040859.tif 000007
【図３Ｃ】
2015040859.tif 000008
【図４Ａ】
2015040859.tif 000009
【図４Ｂ】
2015040859.tif 000010
【図５】
2015040859.tif 000011
【外国語明細書】
2015040859000001.pdf